(57)【特許請求の範囲】
【請求項１】
多角形の板状に形成される導光板と、前記導光板の端面に臨むように配置される光源と、前記導光板の厚さ方向における前記導光板の一方側の面である光射出面の側に配置されるとともに前記導光板と略同形状の多角形の板状に形成され前記導光板が発する光を拡散する拡散板と、前記導光板と前記拡散板との間に配置される遮光部材とを備え、
前記導光板と前記拡散板とは、前記導光板の端面と前記拡散板の端面とが平行になるように配置され、
前記拡散板は、前記拡散板の端面に沿って形成されるとともに前記光射出面の周縁部に対向する位置に配置され前記導光板に向かって突出する突出部を備え、
前記遮光部材は、前記光射出面の周縁部から前記突出部に入射する光の一部を遮るように前記光射出面の周縁部と前記突出部との間に配置され、
前記突出部は、前記拡散板の端面の一部分を構成する平面状の複数の外側面によって構成される外周面を備えるとともに、複数の前記外側面のそれぞれに平行な複数の内側面と、多角形の板状に形成される前記拡散板の角部において前記外側面と非平行な面である角部内側面とを前記突出部の内周側に備える多角形の枠状に形成されていることを特徴とする照明装置。
【請求項２】
前記角部内側面は、前記拡散板の厚さ方向から見たときに、前記突出部の周方向で隣接する２個の前記内側面のうちの一方の前記内側面を他方の前記内側面に向かって延長した第１仮想延長線、および、他方の前記内側面を一方の前記内側面に向かって延長した第２仮想延長線よりも前記突出部の内周側に配置されていることを特徴とする請求項１記載の照明装置。
【請求項３】
前記拡散板の、前記角部内側面が形成される角部において、前記拡散板の厚さ方向から見たときに、前記第１仮想延長線と前記第２仮想延長線との交点を仮想交点とし、前記拡散板の角から前記仮想交点に向かう方向を第１方向とすると、
前記拡散板の、前記角部内側面が形成される角部において、前記第１方向における前記仮想交点と前記角部内側面との距離は、前記外側面とこの外側面に平行な前記内側面との最短距離である前記突出部の幅以下で、かつ、前記突出部の幅の１／８以上であることを特徴とする請求項２記載の照明装置。
【請求項４】
前記第１方向における前記仮想交点と前記角部内側面との距離は、前記突出部の幅の１／２以下であることを特徴とする請求項３記載の照明装置。
【請求項５】
前記角部内側面は、凹曲面状に形成されていることを特徴とする請求項１から４のいずれかに記載の照明装置。
【請求項６】
前記角部内側面は、前記拡散板の厚さ方向から見たときの形状が前記突出部の周方向で隣接する前記内側面の端部同士を滑らかに繋ぐ円弧状となるように形成されていることを特徴とする請求項５記載の照明装置。
【請求項７】
前記拡散板の厚さ方向に直交する方向であって前記拡散板の端面に沿う方向を第２方向とすると、
前記拡散板の、前記角部内側面が形成される角部において、前記内側面の端部は、前記第２方向における前記光源の外側端よりも前記第２方向の外側に配置されていることを特徴とする請求項１から６のいずれかに記載の照明装置。
【請求項８】
前記角部内側面の表面粗さは、前記内側面の表面粗さ以上となっていることを特徴とする請求項１から７のいずれかに記載の照明装置。
【発明の詳細な説明】
【技術分野】
【０００１】
本発明は、厚さの薄い平板状の照明装置に関する。
【背景技術】
【０００２】
光射出面の明るさが周縁部も含めて全体的に均一になるように設計された平板状の照明装置が本出願人によって提案されている（たとえば、特許文献１参照）。特許文献１に記載の照明装置は、正方形の平板状に形成されている。この照明装置は、正方形の平板状に形成される導光板と、導光板の４個の端面のそれぞれに沿って配置される複数のＬＥＤ光源と、導光板の厚さ方向における導光板の一方側の面である光射出面の側に配置され導光板が発する光を拡散させる拡散板と、導光板の厚さ方向における導光板の他方側に配置される反射板とを備えている。ＬＥＤ光源は、ＬＥＤ基板に実装されている。ＬＥＤ基板は、フレームに取り付けられている。フレームは、導光板の端面に対向するように配置される基部と、導光板の厚さ方向における基部の両端から導光板に向かって延びる２個の光遮蔽部とを備えている。
【０００３】
特許文献１に記載の照明装置では、導光板および拡散板に光散乱粒子が含まれている。拡散板は、正方形の平板状に形成されている。また、拡散板は、導光板に向かって突出する突出部（凸条部）を備えている。突出部は、導光板の光射出面の周縁部に対向するように拡散板の周縁部に形成されており、正方形の枠状に形成されている。フレームに形成される２個の光遮蔽部のうちの一方の光遮蔽部は、導光板の光射出面の周縁部から突出部に入射する光の一部を遮るように、導光板の光射出面の周縁部と突出部との間に配置されている。
【０００４】
また、特許文献１に記載の照明装置では、突出部の外周面は、拡散板の端面の一部分を構成しており、互いに平行な平面状の２個の外側面と、この２個の外側面に直交するとともに互いに平行な平面状の２個の外側面との合計４個の外側面によって構成されている。また、突出部の内周面は、４個の外側面のそれぞれに平行な平面状の４個の内側面によって構成されている。正方形の平板状に形成される拡散板の角部では、２個の内側面が互いに直交するように交わっており、拡散板の厚さ方向から見たときの突出部の内周面は、正方形となっている。突出部の内側面では、突出部の内側から突出部の内側面に臨界角を超えて入射する光が全反射する。
【０００５】
特許文献１に記載の照明装置では、導光板の光射出面の周縁部と突出部との間に光遮蔽部が配置されており、光源から射出された光が拡散板に直接入射しないため、拡散板の光射出面（すなわち、照明装置の光射出面）において、光源の部分が点光源のように見えるのを防止することが可能になっている。また、光源に近い拡散板の光射出面の周縁部の輝度は中心部分の輝度に比べて高くなりやすいが、この照明装置では、導光板の光射出面の周縁部と突出部との間に光遮蔽部が配置されているため、導光板から拡散板に入射する光の量を制限して、拡散板の光射出面の周縁部の輝度を抑えることが可能になっている。さらに、この照明装置では、導光板の光射出面の周縁部と突出部との間に光遮蔽部が配置されているため、光遮蔽部の影響で、拡散板の光射出面の周縁部に縁取りされたような暗部が生じるおそれがあるが、拡散板に光散乱粒子が含まれるとともに、突出部に入射した光の一部が突出部の外周面および内周面で全反射して拡散板の光射出面の周縁部から射出されるため、拡散板の光射出面の周縁部に縁取りされたような暗部が生じるのを防止することが可能になっている。以上から、特許文献１に記載の照明装置では、照明装置の光射出面の輝度斑を抑制して、照明装置の光射出面の明るさを均一化することが可能になっている。
【先行技術文献】
【特許文献】
【０００６】
【特許文献１】特開２０１４−２３５７８４号公報
【発明の概要】
【発明が解決しようとする課題】
【０００７】
特許文献１に記載の照明装置では、たとえば、正方形の平板状に形成される導光板の角部をネジによって拡散板に固定する場合等、導光板の端面の全域に亘ってフレームを配置できない場合がある。すなわち、この照明装置では、導光板の光射出面の周縁部と突出部との間を光遮蔽部で遮ることができない部分が照明装置の角部に生じる場合がある。そのため、特許文献１に記載の照明装置では、照明装置の光射出面の角部の輝度が光射出面の他の部分の輝度よりも高くなる場合が生じうる。
【０００８】
また、特許文献１に記載の照明装置では、突出部の内側から突出部の内側面に入射する光の一部は特定の方向に全反射するが、本願発明者の検討によると、この照明装置では、拡散板の角部において、突出部の２個の内側面が互いに直交するように交わっているため、拡散板の角部において、突出部の内側面で特定の方向に全反射する光が拡散板の角部に集中しやすくなり、その結果、照明装置の光射出面の角部の輝度が光射出面の他の部分の輝度よりも高くなりやすいことが明らかになった。特に、特許文献１に記載の照明装置では、導光板の４個の端面のそれぞれに沿ってＬＥＤ光源が配置されており、拡散板の角部の近傍には２個のＬＥＤ光源が配置されているため、拡散板の角部において、突出部の内側面で特定の方向に全反射する光が拡散板の角部により集中しやすくなり、照明装置の光射出面の角部の輝度が光射出面の他の部分の輝度よりもより高くなりやすいことが本願発明者の検討によって明らかになった。
【０００９】
そこで、本発明の課題は、多角形の平板状に形成される照明装置において、照明装置の光射出面の角部の輝度を抑制して、照明装置の光射出面の明るさをより均一化することが可能な照明装置を提供することにある。
【課題を解決するための手段】
【００１０】
上記の課題を解決するため、本発明の照明装置は、多角形の板状に形成される導光板と、導光板の端面に臨むように配置される光源と、導光板の厚さ方向における導光板の一方側の面である光射出面の側に配置されるとともに導光板と略同形状の多角形の板状に形成され導光板が発する光を拡散する拡散板と、導光板と拡散板との間に配置される遮光部材とを備え、導光板と拡散板とは、導光板の端面と拡散板の端面とが平行になるように配置され、拡散板は、拡散板の端面に沿って形成されるとともに光射出面の周縁部に対向する位置に配置され導光板に向かって突出する突出部を備え、遮光部材は、光射出面の周縁部から突出部に入射する光の一部を遮るように光射出面の周縁部と突出部との間に配置され、突出部は、拡散板の端面の一部分を構成する平面状の複数の外側面によって構成される外周面を備えるとともに、複数の外側面のそれぞれに平行な複数の内側面と、多角形の板状に形成される拡散板の角部において外側面と非平行な面である角部内側面とを突出部の内周側に備える多角形の枠状に形成されていることを特徴とする。
【００１１】
本発明の照明装置では、多角形の板状に形成される拡散板の角部において、突出部の内周側に、外側面と非平行な面である角部内側面が形成されている。そのため、本発明では、拡散板の角部において、突出部の内側から突出部の角部内側面に入射する光を角部内側面によって様々な方向へ全反射させることが可能になる。したがって、本発明では、拡散板の角部において、突出部の角部内側面で全反射した光が拡散板の角部に集中するのを防止することが可能になる。その結果、本発明では、照明装置の光射出面の角部の輝度を抑制して、照明装置の光射出面の明るさをより均一化することが可能になる。
【００１２】
本発明では、たとえば、角部内側面は、拡散板の厚さ方向から見たときに、突出部の周方向で隣接する２個の内側面のうちの一方の内側面を他方の内側面に向かって延長した第１仮想延長線、および、他方の内側面を一方の内側面に向かって延長した第２仮想延長線よりも突出部の内周側に配置されている。この場合には、拡散板の厚さ方向から見たときに、第１仮想延長線および第２仮想延長線の少なくともいずれか一方よりも角部内側面が突出部の外周側に配置されている場合と比較して、角部内側面を容易に形成することが可能になる。
【００１３】
本発明では、拡散板の、角部内側面が形成される角部において、拡散板の厚さ方向から見たときに、第１仮想延長線と第２仮想延長線との交点を仮想交点とし、拡散板の角から仮想交点に向かう方向を第１方向とすると、拡散板の、角部内側面が形成される角部において、第１方向における仮想交点と角部内側面との距離は、外側面とこの外側面に平行な内側面との最短距離である突出部の幅以下で、かつ、突出部の幅の１／８以上であることが好ましい。第１方向における仮想交点と角部内側面との距離が突出部の幅の１／８以上であると、突出部の内側から突出部の角部内側面に入射する光を角部内側面によって多様な方向へ全反射させることが可能になり、その結果、拡散板の、角部内側面が形成される角部において、突出部の角部内側面で全反射した光が拡散板の角部に集中するのを効果的に防止することが可能になる。また、拡散板の光射出面から射出される光の一部は、突出部の外側から角部内側面に入射するが、第１方向における仮想交点と角部内側面との距離が突出部の幅以下であると、突出部の外側から角部内側面に入射する光が拡散板の角まで到達しやすくなるため、拡散板の角部での極端な輝度の低下を防止することが可能になる。
【００１４】
本発明において、第１方向における仮想交点と角部内側面との距離は、突出部の幅の１／２以下であることがより好ましい。このように構成すると、突出部の外側から角部内側面に入射する光が拡散板の角までさらに到達しやすくなるため、拡散板の角部での極端な輝度の低下を効果的に防止することが可能になる。
【００１５】
本発明において、角部内側面は、凹曲面状に形成されていることが好ましい。この場合には、たとえば、角部内側面は、拡散板の厚さ方向から見たときの形状が突出部の周方向で隣接する内側面の端部同士を滑らかに繋ぐ円弧状となるように形成されている。このように構成すると、突出部の内側から突出部の角部内側面に入射する光を角部内側面によって多様な方向へ全反射させることが可能になり、その結果、拡散板の角部において、突出部の角部内側面で全反射した光が拡散板の角部に集中するのを効果的に防止することが可能になる。また、このように構成すると、拡散板の光射出面から拡散板を見たときに、角部内側面が目立ちにくくなる。
【００１６】
本発明において、拡散板の厚さ方向に直交する方向であって拡散板の端面に沿う方向を第２方向とすると、拡散板の、角部内側面が形成される角部において、内側面の端部は、第２方向における光源の外側端よりも第２方向の外側に配置されていることが好ましい。このように構成すると、拡散板の角部での極端な輝度の低下を抑制することが可能になる。すなわち、突出部の内側から突出部の内側面に入射する光の一部が突出部の内側面で拡散板の端面に向かって全反射することで、拡散板の周縁部での輝度の低下が抑制されているが、内側面の端部（すなわち、角部内側面の端部）が、第２方向における光源の外側端よりも第２方向の内側に配置されていると、拡散板の角部において、拡散板の端面に向かって全反射する光の量が少なくなり、拡散板の角部の輝度が極端に低下するおそれがある。これに対して、内側面の端部（すなわち、角部内側面の端部）が、第２方向における光源の外側端よりも第２方向の外側に配置されていると、拡散板の角部において、拡散板の端面に向かって全反射する光の量を確保することが可能になり、拡散板の角部での極端な輝度の低下を抑制することが可能になる。なお、本明細書において、「第２方向における光源の外側端」とは、導光板の端面に沿って複数の光源が配置されている場合には、複数の光源のうちの、第２方向の最も外側に配置される光源の第２方向の外側端のことをいい、導光板の端面に沿って１個の光源が配置されている場合には、その光源の第２方向の外側端のことをいう。
【００１７】
本発明において、角部内側面の表面粗さは、内側面の表面粗さ以上となっていることが好ましい。このように構成すると、角部内側面の表面を粗くすることが可能になるため、突出部の内側から突出部の角部内側面に入射する光を角部内側面によって乱反射させることが可能になり、その結果、拡散板の角部において、突出部の角部内側面で全反射した光が拡散板の角部に集中するのを効果的に防止することが可能になる。また、このように構成すると、内側面の表面を滑らかにすることが可能になるため、突出部の内側から内側面に入射する光を内側面によって特定の方向へ全反射させることが可能になる。
【発明の効果】
【００１８】
以上のように、本発明では、多角形の平板状に形成される照明装置において、照明装置の光射出面の角部の輝度を抑制して、照明装置の光射出面の明るさをより均一化することが可能になる。
【図面の簡単な説明】
【００１９】
【図１】本発明の実施の形態にかかる照明装置の斜視図である。
【図２】図１に示す照明装置の分解斜視図である。
【図３】図１のＥ−Ｅ断面の断面図である。
【図４】（Ａ）は、図１に示す照明装置の角部の構成を説明するための平面図であり、（Ｂ）は、（Ａ）のＦ部の拡大図である。
【図５】図１に示す照明装置の効果を説明するための図である。
【図６】本発明の他の実施の形態にかかる角部内側面の構成を説明するため図である。
【発明を実施するための形態】
【００２０】
以下、図面を参照しながら、本発明の実施の形態を説明する。
【００２１】
（照明装置の全体構成）
図１は、本発明の実施の形態にかかる照明装置１の斜視図である。図２は、図１に示す照明装置１の分解斜視図である。図３は、図１のＥ−Ｅ断面の断面図である。
【００２２】
本形態の照明装置１は、照明装置１の光射出面３ａの明るさが周縁部も含めて全体的に均一となるように設計された発光装置であり、薄い平板状に形成されている。具体的には、照明装置１は、長方形の平板状に形成されている。この照明装置１は、単体で使用される。あるいは、この照明装置１は、複数枚組み合わされて使用される。たとえば、２枚の照明装置１が長方形状に組み合わされて使用されたり、４枚の照明装置１が長方形状に組み合わされて使用されたりする。また、照明装置１は、たとえば、インテリアを兼ねた照明として室内の壁面に設置されて使用される。
【００２３】
以下の説明では、照明装置１の厚さ方向（図１等のＺ方向）を「前後方向」とし、前後方向に直交する方向のうちの、長方形状をなす照明装置１の長手方向（図１等のＸ方向）を「左右方向」とし、前後方向と左右方向とに直交する照明装置１の短手方向（図１等のＹ方向）を「上下方向」とする。また、前後方向のうちの照明装置１の正面側（図１等のＺ１方向側）を「前」側とし、その反対側である照明装置１の背面側（図１等のＺ２方向側）を「後（後ろ）」側とする。
【００２４】
照明装置１は、導光板２と、導光板２の前側に配置され導光板２が発する光を拡散する拡散板３と、導光板２の後ろ側に配置される反射シート４と、反射シート４の後ろ側に配置される補強用のフレーム５とを備えている。また、照明装置１は、導光板２の端面２ａに向かって光を射出する複数の光源６（図３参照）と、複数の光源６が実装される基板７と、基板７を介して光源６を保持する光源保持部材８とを備えている。さらに、照明装置１は、導光板２、反射シート４、フレーム５、光源６、基板７および光源保持部材８が収容されるケース９を備えている。なお、図２では、光源６の図示を省略している。
【００２５】
導光板２は、光透過率の高いアクリル系樹脂によって形成されている。また、導光板２は、球形粒子である光散乱粒子が多数含有された光散乱導光体であり、導光板２に入射した光は、導光板２の中で光散乱粒子によって散乱する。導光板２に含有される光散乱粒子は、たとえば、特開２０１４−１５００４９号公報に開示されたシリコーン粒子によって形成されている。この導光板２は、長方形の平板状に形成されており、導光板２の厚さ方向と前後方向とが一致するように配置されている。すなわち、前後方向は、導光板２の厚さ方向である。また、導光板２は、長方形状に形成される導光板２の長手方向と左右方向とが一致するように配置されている。導光板２には、上下方向に直交する２個の端面２ａと左右方向に直交する２個の端面２ａとの合計４個の端面２ａが形成されている。導光板２の前面は、導光板２の光射出面２ｃとなっている。
【００２６】
拡散板３は、導光板２と略同形状の長方形の板状に形成されている。具体的には、拡散板３は、長方形の略平板状に形成されている。この拡散板３は、拡散板３の厚さ方向と前後方向とが一致するように配置されている。すなわち、前後方向は、拡散板３の厚さ方向である。また、拡散板３は、長方形状に形成される拡散板３の長手方向と左右方向とが一致するように配置されている。すなわち、導光板２と拡散板３とは、導光板２の４個の端面２ａと拡散板３の４個の端面３ｊとが平行になるように配置されている。拡散板３の前面は、拡散板３の光射出面３ａとなっている。光射出面３ａは、照明装置１の光射出面となっている。拡散板３は、真正面から光射出面３ａを見たときに（すなわち、光射出面３ａに対して直交する方向から光射出面３ａを見たときに）、光射出面３ａの外形の中に照明装置１の構成部品が収まる大きさとなっている。拡散板３の具体的な構成については後述する。
【００２７】
反射シート４は、たとえば、アルミニウム箔のような反射率の高い材料で形成されている。また、反射シート４は、導光板２の後面（背面）の全体を覆うように長方形状に形成されている。反射シート４の前面は、導光板２の中を進行する光を反射する反射面４ａとなっている。この反射シート４は、導光板２の後面に密着するように配置されている。なお、反射シート４に代えて、薄い平板状に形成された反射板が導光板２の後ろ側に配置されても良いし、反射シート４に代えて、導光板２の後面に反射コーティングが塗布されても良い。
【００２８】
フレーム５は、熱伝導率の高い金属板によって形成されている。たとえば、フレーム５は、アルミニウム合金によって形成されている。このフレーム５は、前後方向から見たときのフレーム５の外形が長方形状となる平板状に形成されている。具体的には、フレーム５は、長方形の枠状に形成される平板状の枠部５ａと、Ｘ形状に形成され枠部５ａの対角同士を繋ぐ平板状の筋交い部５ｂとから構成されている。このフレーム５は、フレーム５の厚さ方向と前後方向とが一致するように配置されている。また、フレーム５は、長方形の枠状をなす枠部５ａの長手方向と左右方向とが一致するように配置されている。フレーム５は、反射シート４の後面に密着するように配置されている。
【００２９】
光源６は、ＬＥＤ（Ｌｉｇｈｔ  Ｅｍｉｔｔｉｎｇ  Ｄｉｏｄｅ）光源であり、上述のように基板７に実装されている。光源６を構成するＬＥＤ素子のそれぞれは白色ＬＥＤであり、光源６は白色の光を射出する。基板７は、フレキブルプリント基板（ＦＰＣ（Ｆｌｅｘｉｂｌｅ  Ｐｒｉｎｔｅｄ  Ｃｉｒｃｕｉｔｓ））である。この基板７は、図２に示すように、細長い帯状に形成されている。基板７には、基板７の長手方向に沿って複数の光源６が直線状に配列されて実装されており、複数の光源６は、導光板２の端面２ａに臨むように配置されている。具体的には、導光板２の４個の端面２ａのそれぞれに臨むように複数の光源６が配置されている。なお、光源６は、赤色ＬＥＤ素子と緑色ＬＥＤ素子と青色ＬＥＤ素子とがパッケージ化されたものであっても良い。
【００３０】
光源保持部材８は、薄い金属板が所定形状に折り曲げられることで形成されている。具体的には、光源保持部材８は、導光板２の端面２ａに対向するように配置される基部８ａと、前後方向における基部８ａの両端から導光板２側へ延びる第１延設部８ｂおよび第２延設部８ｃとを備えており、全体として細長い四角溝状に形成されている。すなわち、光源保持部材８は、その断面形状が略Ｕ形状（略コの字状）となるように形成されている。第１延設部８ｂは、基部８ａの前端に繋がり、第２延設部８ｃは、基部８ａの後端に繋がっている。図３に示すように、光源６および基板７は、第１延設部８ｂと第２延設部８ｃとの間に配置されている。また、光源６および基板７は、基部８ａと端面２ａとの間に配置されており、端面２ａに沿うように配置されている。第１延設部８ｂと第２延設部８ｃとの間には、導光板２、反射シート４およびフレーム５が挟まれている。第１延設部８ｂは、導光板２の前面に接触し、第２延設部８ｃは、フレーム５の後面に接触している。
【００３１】
ケース９は、鋼板またはアルミニウム合金製の板等の薄い金属板によって形成されている。このケース９は、底面部９ａと、底面部９ａの外周端から前側に向かって立ち上がる側面部９ｂとから構成されており、前側が開口する扁平な直方体の箱状に形成されている。側面部９ｂは、長方形の枠状に形成されており、前後方向から見たときのケース９の形状は長方形状となっている。ケース９は、長方形の枠状をなす側面部９ｂの長手方向と左右方向とが一致するように配置されている。上述のように、ケース９の内部には、導光板２、反射シート４、フレーム５、光源６、基板７および光源保持部材８が収容されている。ケース９の前端側の開口は、拡散板３によって塞がれている。本形態では、図１等に示すように、拡散板３の外周面とケース９の外周面とは同一面上に配置されている。ただし、ケース９の外周面が拡散板３の外周面より内側に配置されても良い。
【００３２】
導光板２とフレーム５と光源保持部材８とは、図示を省略するネジによって拡散板３に固定されている。また、光源保持部材８は、図示を省略するネジによってフレーム５にも固定されている。ケース９は、図示を省略するネジによってフレーム５に固定されている。本形態では、導光板２とフレーム５と光源保持部材８とが拡散板３に固定されるとともに、光源保持部材８がフレーム５に固定された後に、ケース９がフレーム５に固定される。
【００３３】
（拡散板の構成）
図４（Ａ）は、図１に示す照明装置１の角部の構成を説明するための平面図であり、図４（Ｂ）は、図４（Ａ）のＦ部の拡大図である。なお、図４（Ｂ）では、導光板２の図示を省略している。
【００３４】
拡散板３は、光透過率の高いアクリル系樹脂またはポリカーボネイトによって形成されている。また、拡散板３は、光散乱粒子が多数含有された光散乱導光体であり、拡散板３に入射した光は、拡散板３の中で光散乱粒子によって散乱する。拡散板３には、導光板２に含有される光散乱粒子と同様の光散乱粒子が含有されている。すなわち、拡散板３に含有される光散乱粒子は、たとえば、特開２０１４−１５００４９号公報に開示されたシリコーン粒子によって形成されている。
【００３５】
上述のように、拡散板３は、導光板２の前側に配置されている。すなわち、拡散板３は、導光板２の前面を構成する光射出面２ｃの側に配置されている。この拡散板３は、導光板２に向かって突出する（すなわち、後ろ側へ突出する）突出部３ｂを備えている。突出部３ｂは、拡散板３の４個の端面３ｊに沿って形成されており、長方形の枠状に形成されている。この突出部３ｂは、拡散板３の端面３ｊの後端側の一部分を構成する平面状の４個の外側面３ｋを備えており、４個の外側面３ｋによって突出部３ｂの外周面が構成されている。また、突出部３ｂは、４個の外側面３ｋのそれぞれに平行な平板状の４個の内側面３ｎを突出部３ｂの内周側に備えている。４個の外側面３ｋのうちの２個の外側面３ｋは、左右方向に直交し、残りの２個の外側面３ｋは、上下方向に直交している。また、４個の内側面３ｎのうちの２個の内側面３ｎは、左右方向に直交し、残りの２個の内側面３ｎは、上下方向に直交している。
【００３６】
図４に示すように、長方形の平板状に形成される拡散板３の４個の角部のそれぞれにおいて、突出部３ｂの内周側には、枠状に形成される突出部３ｂの周方向で隣接する内側面３ｎの端部３ｐ同士を繋ぐ面である角部内側面３ｒが形成されている。内側面３ｎは、端部３ｐまでは外側面３ｋと平行である。すなわち、端部３ｐは、内側面３ｎが外側面３ｋと平行になっている部分の端部である。角部内側面３ｒは、凹曲面状に形成されている。すなわち、角部内側面３ｒは、外側面３ｋと非平行である（平行でない）。具体的には、角部内側面３ｒは、前後方向から見たときの形状が突出部３ｂの周方向で隣接する２個の内側面３ｎの端部３ｐ同士を滑らかに繋ぐ円弧状（より具体的には、１／４円弧状）となるように形成されている。すなわち、図４（Ｂ）に示すように、拡散板３の４個の角部のそれぞれにおいて、前後方向から見たときに、突出部３ｂの周方向で隣接する２個の内側面３ｎのうちの一方の内側面３ｎを他方の内側面３ｎに向かって延長した仮想線を第１仮想延長線ＣＬ１とし、他方の内側面３ｎを一方の内側面３ｎに向かって延長した仮想線を第２仮想延長線ＣＬ２とすると、角部内側面３ｒは、拡散板３の４個の角部のそれぞれにおいて、第１仮想延長線ＣＬ１および第２仮想延長線ＣＬ２よりも突出部３ｂの内周側に配置されている。本形態では、４個の内側面３ｎと４個の角部内側面３ｒとによって突出部３ｂの内周面が形成されている。
【００３７】
図４（Ｂ）に示すように、拡散板３の４個の角部のそれぞれにおいて、前後方向から見たときに、第１仮想延長線ＣＬ１と第２仮想延長線ＣＬ２との交点を仮想交点Ｃとし、拡散板３の角３ｓ（より具体的には、拡散板３の４個の角３ｓのうちのこの仮想交点Ｃに最も近い角３ｓ）から仮想交点Ｃに向かう方向（図４（Ｂ）の矢印Ｖの方向）を第１方向とすると、拡散板３の４個の角部のそれぞれにおいて、第１方向における仮想交点Ｃと角部内側面３ｒとの距離Ｄは、外側面３ｋとこの外側面３ｋに平行な内側面３ｎとの最短距離である突出部３ｂの幅Ｗ以下で、かつ、幅Ｗの１／８以上となっている。本形態では、距離Ｄは、幅Ｗの１／２以下となっている。具体的には、本形態の角部内側面３ｒの曲率半径は２（ｍｍ）となっているため、距離Ｄは、０．８３（＝２√２−２）（ｍｍ）である。また、本形態の幅Ｗは、５（ｍｍ）となっているため、距離Ｄは、幅Ｗの約１／６となっている。
【００３８】
また、図４（Ｂ）に示すように、左右方向に直交する内側面３ｎの端部３ｐ（すなわち、上下方向と平行な内側面３ｎの端部３ｐ）は、上下方向において最も外側に配置される光源６の上下方向の外側端６ａよりも上下方向の外側に配置されている。同様に、上下方向に直交する内側面３ｎの端部３ｐ（すなわち、左右方向と平行な内側面３ｎの端部３ｐ）は、左右方向において最も外側に配置される光源６の左右方向の外側端６ａよりも左右方向の外側に配置されている。すなわち、前後方向に直交する方向であって拡散板３の端面３ｊに沿う方向を第２方向とすると、拡散板３の４個の角部のそれぞれにおいて、内側面３ｎの端部３ｐは、第２方向における光源６の外側端６ａよりも第２方向の外側（仮想交点Ｃ側）に配置されている。また、角部内側面３ｒの表面粗さは、内側面３ｎの表面粗さ以上となっている。本形態では、角部内側面３ｒの表面粗さと内側面３ｎの表面粗さとが等しくなっている。
【００３９】
突出部３ｂは、導光板２の光射出面２ｃの周縁部２ｄ（図３参照）に対向する位置に配置されている。突出部３ｂの後面は、前後方向に直交する平面状に形成されており、光射出面２ｃから射出された光が入射する光入射面３ｃとなっている。突出部３ｂの内側は、前側に向かって窪む長方形状の凹部３ｄとなっており、拡散板３には、突出部３ｂに囲まれる空間が形成されている。凹部３ｄの底面は、光射出面２ｃから射出された光が入射する光入射面３ｅとなっている。光入射面３ｅは、前後方向に直交する平面状に形成されている。なお、周縁部２ｄは、光射出面２ｃの、光入射面３ｃと前後方向において対向する部分であり、長方形の枠状に形成されている。
【００４０】
光入射面３ｃ、３ｅと、拡散板３の端面３ｊおよび内側面３ｎとは直交している。また、光入射面３ｃ、３ｅと、角部内側面３ｒとは直交している。端面３ｊは、空気に接する面である。また、内側面３ｎおよび角部内側面３ｒも凹部３ｄに面しており、空気に接する面である。そのため、突出部３ｂの内側から端面３ｊに臨界角を超えて入射する光は、端面３ｊで全反射する。また、突出部３ｂの内側から内側面３ｎに臨界角を超えて入射する光は、内側面３ｎで全反射し、突出部３ｂの内側から角部内側面３ｒに臨界角を超えて入射する光は、角部内側面３ｒで全反射する。
【００４１】
光源保持部材８の第１延設部８ｂは、突出部３ｂと導光板２との間に配置されており、突出部３ｂの光入射面３ｃに接触している。図３に示すように、基部８ａから導光板２に向かう方向における第１延設部８ｂの幅は、この方向における突出部３ｂの幅よりも狭くなっている。また、第１延設部８ｂの先端は、端面２ａよりも導光板２の中心側に配置されている。第１延設部８ｂは、光源６が射出する光を拡散板３に直接入射させない光遮蔽機能を果たしている。また、第１延設部８ｂは、光射出面２ｃの周縁部２ｄから突出部３ｂに入射する光を制限している。
【００４２】
光入射面３ｃの、第１延設部８ｂに覆われた部分は、遮蔽領域３ｇとなっており、光入射面３ｃの、遮蔽領域３ｇよりも内側の部分は、入射領域３ｈとなっている。遮蔽領域３ｇの広さおよび入射領域３ｈの広さは、光射出面３ａの全体の明るさが均一となるように設定されている。本形態の第１延設部８ｂは、光射出面２ａの周縁部２ｄから突出部３ｂに入射する光の一部を遮るように周縁部２ｄと突出部３ｂとの間に配置される遮光部材である。なお、本形態では、導光板２の端面２ａの全域に亘って光源保持部材８が配置されておらず、照明装置１の４個の角部には、光射出面２ｃの周縁部２ｄと突出部３ｂとの間に第１延設部８ｂが配置されていない部分が生じている。
【００４３】
（照明装置内の光の経路）
図３に示すように、光源６から射出された光の一部は、導光板２の端面２ａから導光板２の中に進入した後、たとえば、一点鎖線Ｌ１で示すように、導光板２の光射出面２ｃおよび反射シート４の反射面４ａで全反射しながら導光板２の中心側に向かって進むとともに、光散乱粒子によって散乱しながら進み、いずれは、光射出面２ｃから射出される。また、光源６から射出された光の他の一部は、光射出面２ｃで全反射することなく、光散乱粒子によって散乱しながら進み、光射出面２ｃから射出される。導光板２の中の光が、光射出面２ｃおよび反射面４ａで全反射するとともに光散乱粒子によって散乱するため、光射出面２ｃの輝度は均一化された状態となっている。
【００４４】
導光板２の光射出面２ｃから射出された光の一部は、拡散板３の光入射面３ｃの入射領域３ｈに入射する。入射領域３ｈから入射した光の一部は、一点鎖線Ｌ２で示すように、突出部３ｂの内側面３ｎと拡散板３の端面３ｊとで全反射しながら進むとともに、光散乱粒子によって散乱しながら進み、光射出面３ａの、主として突出部３ｂに対応する領域（すなわち、光射出面３ａの周縁部）から射出される。また、入射領域３ｈから入射した光の一部は、突出部３ｂの角部内側面３ｒと端面３ｊとで全反射しながら進むとともに、光散乱粒子によって散乱しながら進み、光射出面３ａの、主として角部に対応する領域から射出される。また、光入射面３ｅに入射した光の一部は、光散乱粒子によって散乱しながら進み、光射出面３ａから射出される。
【００４５】
（本形態の主な効果）
以上説明したように、本形態では、拡散板３の光入射面３ｃの一部は第１延設部８ｂに覆われており、光源６から射出された光は拡散板３に直接入射しないため、拡散板３の光射出面３ａにおいて、光源６の部分が点光源のように見えるのを防止することが可能になる。また、本形態では、光入射面３ｃの、第１延設部８ｂに覆われた部分が遮蔽領域３ｇとなっているため、突出部３ｂに入射する光の量を制限して、光射出面３ａの周縁部の輝度を抑えることが可能になる。一方で、光入射面３ｃが第１延設部８ｂに覆われているため、第１延設部８ｂの影響で、光射出面３ａの周縁部に縁取りされたような暗部が生じるおそれがあるが、本形態では、突出部３ｂに入射した光の一部が端面３ｊ、内周面３ｎおよび角部内側面３ｒで全反射するとともに拡散板３に含まれる光散乱粒子によって散乱するため、光射出面３ａの周縁部に縁取りされたような暗部が生じるのを防止することが可能になる。さらに、本形態では、導光板２の４個の端面２ａのそれぞれに臨むように光源６が配置されているため、全ての光源６から射出される光によって光射出面３ａの全体を明るくすることが可能になる。以上から、本形態では、光射出面３ａの明るさを均一化することが可能になる。
【００４６】
また、本形態では、拡散板３の４個の角部のそれぞれにおいて、突出部３ｂの内周側に、突出部３ｂの周方向で隣接する内側面３ｎの端部３ｐ同士を繋ぐ角部内側面３ｒが形成されており、角部内側面３ｒは、前後方向から見たときの形状が２個の内側面３ｎの端部３ｐ同士を滑らかに繋ぐ円弧状となる凹曲面状に形成されている。そのため、本形態では、拡散板３の４個の角部のそれぞれにおいて、突出部３ｂの内側から角部内側面３ｒに入射する光を角部内側面３ｒによって多様な方向へ全反射させることが可能になる。したがって、本形態では、拡散板３の角部において、角部内側面３ｒで全反射した光が拡散板３の角部に集中するのを防止することが可能になり、光射出面３ａの角部の輝度を抑制することが可能になる。その結果、本形態では、光射出面３ａの明るさをより均一化することが可能になる。
【００４７】
特に本形態では、第１方向における仮想交点Ｃと角部内側面３ｒとの距離Ｄが突出部３ｂの幅Ｗの１／８以上となっているため、突出部３ｂの内側から角部内側面３ｒに入射する光を角部内側面３ｒによってより多様な方向へ全反射させることが可能になる。また、本形態では、角部内側面３ｒの表面粗さが内側面３ｎの表面粗さ以上となっており、角部内側面３ｒの表面を粗くすることが可能になるため、突出部３ｂの内側から角部内側面３ｒに入射する光を角部内側面３ｒによって乱反射させることが可能になる。したがって、本形態では、拡散板３の角部において、角部内側面３ｒで全反射した光が拡散板３の角部に集中するのを効果的に防止することが可能になる。なお、照明装置１において、図５に示すように、突出部３ｂの周方向で隣接する２個の内側面３ｎが互いに直交するように交わっている場合には、図５の一点鎖線で示すように、内側面３ｎの端部の近傍で全反射する光が拡散板３の角部に集中する。そのため、この場合には、光射出面３ａの角部の輝度が高くなり、光射出面３ａに輝度斑が生じやすくなる。
【００４８】
本形態では、拡散板３の４個の角部のそれぞれにおいて、内側面３ｎの端部３ｐは、第２方向における光源６の外側端６ａよりも第２方向の外側に配置されている。そのため、本形態では、拡散板３の角部での極端な輝度の低下を抑制することが可能になる。すなわち、突出部３ｂの内側から内側面３ｎに入射する光の一部が内側面３ｎで端面３ｊに向かって全反射することで、光射出面３ａの周縁部での輝度の低下が抑制されているが、内側面３ｎの端部３ｐ（すなわち、角部内側面３ｒの端部）が、第２方向における光源６の外側端６ａよりも第２方向の内側に配置されていると、拡散板３の角部において、端面３ｊに向かって全反射する光の量が少なくなり、拡散板３の角部の輝度が極端に低下するおそれがある。これに対して、本形態では、内側面３ｎの端部３ｐが、第２方向における光源６の外側端６ａよりも第２方向の外側に配置されているため、拡散板３の角部において、端面３ｊに向かって全反射する光の量を確保することが可能になり、拡散板３の角部での極端な輝度の低下を抑制することが可能になる。
【００４９】
また、本形態では、拡散板３の４個の角部のそれぞれにおいて、第１方向における仮想交点Ｃと角部内側面３ｒとの距離Ｄが突出部３ｂの幅Ｗの１／２以下となっているため、突出部３ｂの外側から（具体的には、凹部３ｄ側から）角部内側面３ｒに入射する光が拡散板３の角３ｓまで到達しやすくなる。したがって、本形態では、拡散板３の角部での極端な輝度の低下を防止することが可能になる。
【００５０】
本形態では、内側面３ｎの表面粗さは、角部内側面３ｒの表面粗さよりも小さくなっている。そのため、本形態では、内側面３ｎの表面を滑らかにすることが可能になり、その結果、突出部３ｂに入射した光の一部を内側面３ｎによって特定の方向へ（具体的には、端面３ｊに向かって）全反射させることが可能になる。したがって、本形態では、光射出面３ａの周縁部に縁取りされたような暗部が生じるのを効果的に防止することが可能になる。また、本形態では、前後方向から見たときの角部内側面３ｒの形状が２個の内側面３ｎの端部３ｐ同士を滑らかに繋ぐ円弧状となっているため、正面から拡散板３の光射出面３ａを見たときに、角部内側面３ｒが目立ちにくくなる。
【００５１】
（他の実施の形態）
上述した形態では、角部内側面３ｒは、凹曲面状に形成されているが、角部内側面３ｒは、平面状に形成されても良い。たとえば、図６に示すように、角部内側面３ｒは、突出部３ｂの周方向で隣接する２個の内側面３ｎのそれぞれに対して１３５°傾斜するように形成された平面であっても良い。また、角部内側面３ｒは、凹曲面と平面との組合せであっても良い。また、上述した形態では、角部内側面３ｒは、第１仮想延長線ＣＬ１および第２仮想延長線ＣＬ２よりも突出部３ｂの内周側に配置されているが、角部内側面３ｒは、第１仮想延長線ＣＬ１および第２仮想延長線ＣＬ２より突出部３ｂの外周側に配置されても良い。すなわち、内側面３ｎの端部３ｐから拡散板３の外周側に向かって窪む凹部が形成されるとともに、この凹部の側面が角部内側面３ｒとなっていても良い。ただし、上述した形態のように、第１仮想延長線ＣＬ１および第２仮想延長線ＣＬ２よりも突出部３ｂの内周側に角部内側面３ｒが配置されている方が、角部内側面３ｒを容易に形成することが可能になる。また、上述した形態では、角部内側面３ｒは、内側面３ｎに対して左右方向および上下方向において非平行な面であるが、内側面３ｎに対して前後方向において非平行な面であっても良い。
【００５２】
上述した形態では、角部内側面３ｒは、拡散板３の４個の角部のそれぞれに形成されているが、拡散板３の４個の角部の中に、角部内側面３ｒが形成されていない角部があっても良い。拡散板３の４個の角部のうちの少なくとも１個の角部に角部内側面３ｒが形成されていれば、拡散板３の４個の角部の全てに角部内側面３ｒが形成されていない場合と比較して、光射出面３ａの明るさの均一化を図ることが可能になる。
【００５３】
上述した形態では、突出部３ｂの内側面３ｎは、平面状に形成されているが、内側面３ｎに微小な凹凸が形成されても良い。すなわち、内側面３ｎは、略平面状であれば良く、この「略平面状」には、凹凸のない平面状、および、微小な凹凸が形成されているほぼ平面状の両方が含まれている。また、上述した形態では、第１方向における仮想交点Ｃと角部内側面３ｒとの距離Ｄは、突出部３ｂの幅Ｗ以下となっているが、距離Ｄは、幅Ｗを超えていても良い。また、上述した形態では、距離Ｄは、幅Ｗの１／８以上となっているが、距離Ｄは、幅Ｗの１／８未満であっても良い。さらに、上述した形態では、内側面３ｎの端部３ｐは、第２方向における光源６の外側端６ａよりも第２方向の外側に配置されているが、内側面３ｎの端部３ｐは、第２方向における光源６の外側端６ａより第２方向の内側に配置されても良い。また、上述した形態では、角部内側面３ｒの表面粗さは、内側面３ｎの表面粗さ以上となっているが、角部内側面３ｒの表面粗さは、内側面３ｎの表面粗さ未満であっても良い。
【００５４】
上述した形態では、光源６は、導光板２の４個の端面２ａに臨むように配置されているが、光源６は、互いに平行な２個の端面２ａのみに臨むように配置されても良い。また、光源６は、４個の端面２ａの中から任意に選択される３個の端面２ａのみに臨むように配置されても良い。この場合には、光源６が臨んでいない端面２ａに臨むように反射板が配置されても良い。また、上述した形態では、ＬＥＤ光源である光源６が基板７に実装されているが、基板７に実装される光源６は、ＬＥＤ光源以外の光源であっても良い。また、光源６は、ＣＣＦＬ（Ｃｏｌｄ  Ｃａｔｈｏｄｅ  Ｆｌｕｏｒｅｓｃｅｎｔ  Ｌａｍｐ：冷陰極蛍光管）であっても良いし、白熱電球等の電球であっても良いし、蛍光灯であっても良い。光源６の種類によっては、光源６が実装される基板７が不要になる場合がある。この場合には、光源６は、光源保持部材８に直接保持される。また、上述した形態において、光源保持部材８の第１延設部８ｂに代えて、光入射面３ｃに遮光性を有するテープを貼着しても良いし、遮光性を有する塗料を塗布しても良い。この場合には、遮光性を有するテープや塗料が遮光部材となる。
【００５５】
上述した形態では、照明装置１は、長方形の平板状に形成されているが、照明装置１は、正方形の平板状に形成されても良いし、長方形および正方形以外の四角形の平板状に形成されても良い。また、照明装置１は、五角形、六角形あるいは八角形等の四角形以外の多角形の平板状に形成されても良い。すなわち、導光板２および拡散板３は、正方形の平板状に形成されても良いし、長方形および正方形以外の四角形の平板状に形成されても良いし、五角形、六角形あるいは八角形等の四角形以外の多角形の平板状に形成されても良い。この場合であっても、多角形の平板状に形成される拡散板３の複数の角部のそれぞれにおいて、突出部３ｂの内周側には、角部内側面３ｒに相当する角部内側面が形成される。
【符号の説明】
【００５６】
１  照明装置
２  導光板
２ａ  端面
２ｃ  光射出面
２ｄ  周縁部
３  拡散板
３ｂ  突出部
３ｊ  端面
３ｋ  外側面
３ｎ  内側面
３ｐ  端部（内側面の端部）
３ｒ  角部内側面
３ｓ  角（拡散板の角）
６  光源
８ｂ  第１延設部（遮光部材）
Ｃ  仮想交点
ＣＬ１  第１仮想延長線
ＣＬ２  第２仮想延長線
Ｄ  第１方向における仮想交点と角部内側面との距離
Ｖ  第１方向
Ｗ  突出部の幅
Ｚ  導光板の厚さ方向、拡散板の厚さ方向
【図１】
0006559073.tif 000002
【図２】
0006559073.tif 000003
【図３】
0006559073.tif 000004
【図４】
0006559073.tif 000005
【図５】
0006559073.tif 000006
【図６】
0006559073.tif 000007